(57)【要約】【課題】  同期データが検出されなかった場合にも、再同期データを検出することができるデータ再生装置とデータ再生方法とを提供する。【解決手段】  同期窓信号生成回路が同期データの検出に用いられる同期窓信号を生成し、同期データ検出回路が同期データを検出する。第１の再同期窓信号生成回路が再同期データの検出に用いられる第１の再同期窓信号を生成する。第２の再同期窓信号生成回路が同期窓信号に基づいて生成され、同期データが検出されなかった場合または検出された同期データが同期窓信号のタイミングと一致しない場合に、再同期データの検出に用いられる第２の再同期窓信号を生成する。同期データが正規に検出された場合は第１の再同期窓信号を用い、同期データが正規に検出されなかった場合は第２の再同期窓信号を用いて前記再同期データを検出する。【選択図】  図４
2005317200.tif 000002
【特許請求の範囲】
【請求項１】
同期データおよび再同期データを有する所定の単位の領域によって構成される記録媒体から、少なくとも前記同期データおよび前記再同期データを用いて、前記記録媒体に記録されたデータを再生するデータ再生装置であって、
前記同期データの検出に用いられる同期窓信号を生成する同期窓信号生成回路と、
前記同期データを検出する同期データ検出回路と、
前記再同期データの検出に用いられる第１の再同期窓信号を生成する第１の再同期窓信号生成回路と、
前記同期窓信号に基づいて生成され、前記同期データが検出されなかった場合または前記検出された同期データが前記同期窓信号のタイミングと一致しない場合のいずれかの前記同期データが正規に検出されなかった場合に、前記再同期データの検出に用いられる第２の再同期窓信号を生成する第２の再同期窓信号生成回路と、
前記同期データが正規に検出された場合は前記第１の再同期窓信号を選択し、前記同期データが正規に検出されなかった場合は前記第２の再同期窓信号を選択する、選択回路と、
前記選択回路で選択された信号を用いて前記再同期データを検出する再同期データ検出回路と
を有するデータ再生装置。
【請求項２】
前記第２の再同期窓信号は、前記同期窓信号の略中央位置におけるタイミングに基づいて生成されることをことを特徴とする、請求項１に記載のデータ再生装置。
【請求項３】
前記同期窓信号は、前記記録媒体の所定の単位の領域の開始位置に記録されたデータの検出に基づいて生成することを特徴とする、請求項１に記載のデータ再生装置。
【請求項４】
同期データおよび再同期データを有する所定の単位の領域によって構成される記録媒体から、少なくとも前記同期データおよび前記再同期データを用いて、前記記録媒体に記録されたデータを再生するデータ再生方法であって、
前記前記同期データの検出に用いられる同期窓信号を生成し、
前記同期データを検出し、
前記再同期データの検出に用いられる第１の再同期窓信号を生成し、
前記同期窓信号に基づいて生成され、前記同期データが検出されなかった場合または前記検出された同期データが前記同期窓信号のタイミングと一致しない場合に、前記再同期データの検出に用いられる第２の再同期窓信号を生成し、
前記同期データが検出されなかった場合または前記検出された同期データが前記同期窓信号のタイミングと一致しない場合には前記第２の再同期窓信号を選択し、前記同期データが正規に検出された場合は前記第１の再同期窓信号を選択し、
前記選択された信号を用いて前記再同期データを検出する、
データ再生方法。
【発明の詳細な説明】
【技術分野】
【０００１】
本発明は所定の記録媒体、例えば光学式ディスクの各セクタに記録された参照データ、同期データおよび再同期データを検出し、これらを用いてデータを再生するデータ再生装置に関する。
【背景技術】
【０００２】
光磁気ディスク等の記録媒体にはセクタ単位でデータが記録されており、このセクタそれぞれには同期検出のために用いられる同期データおよび再同期データが記録されている。
データ再生装置は、記録媒体から読み出した再生データから、各セクタの先頭に記録された同期データ、および、各セクタの途中に記録された再同期データを検出し、検出した同期データおよび再同期データを用いて同期を確立し、各セクタに記録されたデータ（記録データ）を再生する（たとえば、特許文献１、２）。
【０００３】
従来のデータ再生装置において、同期データおよび再同期データを検出する同期検出回路は、一般的に、同期データの位置を示す同期窓信号（同期ウィンドウ信号）を生成し、同期窓信号が活性化（アサート）している位置で同期データを検出し、さらに、同期データが検出されたタイミングに基づいて再同期データの位置を示す再同期窓信号（再同期ウィンドウ信号）を活性化し、再同期窓信号が活性化している位置で再同期データを検出する。
【特許文献１】特開平７−２９３１１号公報
【特許文献２】特開平３−１４４９６８号公報
【発明の開示】
【発明が解決しようとする課題】
【０００４】
一方、従来のデータ再生装置の同期検出回路は、同期データが検出されなかった場合一般的に、同期窓信号が活性化しているタイミングの最後で強制的に同期データが検出されたとみなし、同期窓信号の最後のタイミングに基づいて再同期窓信号を生成するように構成されていた。
このため、同期データが検出されなかった場合の再同期窓信号のタイミングは、再同期データが検出される本来の位置よりも後で活性化し、再同期データが検出されない確率が高くなってしまうという問題があった。
【０００５】
本発明は、上述した従来技術の問題点に鑑みてなされたものであり、例えば光学式ディスクの各セクタに記録された同期データが検出されなかった場合にも、再同期データを検出することができる確率を高め、各セクタに記録された記録データをより信頼性高く再生可能なデータ再生装置とデータ再生方法とを提供することを目的とする。
【課題を解決するための手段】
【０００６】
本発明によれば、同期データおよび再同期データを有する所定の単位の領域によって構成される記録媒体から、少なくとも前記同期データおよび前記再同期データを用いて、前記記録媒体に記録されたデータを再生するデータ再生装置であって、
前記同期データの検出に用いられる同期窓信号を生成する同期窓信号生成回路と、前記同期データを検出する同期データ検出回路と、前記再同期データの検出に用いられる第１の再同期窓信号を生成する第１の再同期窓信号生成回路と、前記同期窓信号に基づいて生成され、前記同期データが検出されなかった場合または前記検出された同期データが前記同期窓信号のタイミングと一致しない場合のいずれかの前記同期データが正規に検出されなかった場合に、前記再同期データの検出に用いられる第２の再同期窓信号を生成する第２の再同期窓信号生成回路と、前記同期データが正規に検出された場合は前記第１の再同期窓信号を選択し、前記同期データが正規に検出されなかった場合は前記第２の再同期窓信号を選択する、選択回路と、前記選択回路で選択された信号を用いて前記再同期データを検出する再同期データ検出回路とを有するデータ再生装置が提供される。
【０００７】
好ましくは、前記第２の再同期窓信号は、前記同期窓信号の略中央位置におけるタイミングに基づいて生成されることをことを特徴とする。
また好ましくは、前記同期窓信号は、前記記録媒体の所定の単位の領域の開始位置に記録されたデータの検出に基づいて生成することを特徴とする。
【０００８】
また本発明によれば、同期データおよび再同期データを有する所定の単位の領域によって構成される記録媒体から、少なくとも前記同期データおよび前記再同期データを用いて、前記記録媒体に記録されたデータを再生するデータ再生方法であって、
前記前記同期データの検出に用いられる同期窓信号を生成し、
前記同期データを検出し、
前記再同期データの検出に用いられる第１の再同期窓信号を生成し、
前記同期窓信号に基づいて生成され、前記同期データが検出されなかった場合または前記検出された同期データが前記同期窓信号のタイミングと一致しない場合に、前記再同期データの検出に用いられる第２の再同期窓信号を生成し、
前記同期データが検出されなかった場合または前記検出された同期データが前記同期窓信号のタイミングと一致しない場合には前記第２の再同期窓信号を選択し、前記同期データが正規に検出された場合は前記第１の再同期窓信号を選択し、
前記選択された信号を用いて前記再同期データを検出する、
データ再生方法が提供される。
【０００９】
同期窓信号生成回路は、前記同期データの検出に用いられる同期窓信号を生成する。
同期データ検出回路が前記同期データを検出する。
第１の再同期窓信号生成回路が、前記再同期データの検出に用いられる第１の再同期窓信号を生成する。
第２の再同期窓信号生成回路が、前記同期データが検出されなかった場合または前記検出された同期データが前記同期窓信号のタイミングと一致しない場合のいずれかの前記同期データが正規に検出されなかった場合に、前記再同期データの検出に用いられる第２の再同期窓信号を生成する。
選択回路が、前記同期データが正規に検出された場合は前記第１の再同期窓信号を選択し、前記同期データが正規に検出されなかった場合は前記第２の再同期窓信号を選択する。
再同期データ検出回路が前記選択回路で選択された信号を用いて前記再同期データを検出する。
【００１０】
前記検出された再同期データを用いると、再同期データの後に続くデータを再生できる。
特に、本願発明は、前記同期データが正規に検出されなかった場合でも、前記第２の再同期データを検出して、検出した再同期データの後に続くデータを再生できる。
【発明の効果】
【００１１】
以上述べたように、本発明に係るデータ再生装置によれば、例えば光学式ディスクの各セクタに記録された同期データが検出されなかった場合にも、再同期データを検出することができる確率を高めることができる。
また、本発明に係るデータ再生装置によれば、各セクタに記録された記録データをより信頼性高く再生可能である。
【実施例】
【００１２】
以下、本発明の実施例を説明する。
まず、本発明に係る光学式ディスク再生装置１（図３）の説明に先立ち、図１および図２を参照して光磁気ディスク１２に設けられたセクタの構成を説明する。
図１は、図３に示す本発明に係る光学式ディスク再生装置１の光磁気ディスク１２のセクタ４０の構成を示す図である。
図２は、図１に示したセクタ４０のデータ領域の記録フォーマットを示す図である。
【００１３】
図１に示すように、光磁気ディスク１２のセクタ４０は、セクタマーク領域（ＳＭ）３２、アドレス領域３４およびデータ領域３６から構成されており、セクタマーク領域３２には所定のデータパターンを有するリファレンスデータ（参照データ）が記録されており、アドレス領域３４にはセクタアドレス等の制御用データが記録されており、データ領域３６は所定の記録フォーマット（図２）でデータが記録されている。
【００１４】
セクタ４０のデータ領域３６の記録フォーマットは、図２に示す通りである。つまり、データ領域３６には、同期データ（同期バイト）ＳＢ１〜ＳＢ３、記録データＤ１〜Ｄ２０、再同期データ（再同期バイト）ＲＳ１、記録データＤ２１〜Ｄ４０、再同期データＲＳ２、…、データＤ１０２４、ＤＭ（データマーク）ポインタデータ（ＤＭポインタバイト）Ｐ１，１〜Ｐ３，４、ＣＲＣデータＣ１〜Ｃ４、再同期データＲＳ５２、誤り訂正データＥ１，１〜Ｅ１０，１６の順番に、これらのデータが記録されている。
【００１５】
なお、データ領域３６において、誤り訂正データＥ１，１〜Ｅ１，１６、Ｅ２，１〜Ｅ２，１６、…、Ｅ１０，１６は、それぞれ記録データＤ１，Ｄ１１，Ｄ２１〜Ｄ１０２１，ＤＭポインタデータＰ２，３、記録データＤ２，Ｄ１２，Ｄ２２〜Ｄ１０２２，ＤＭポインタデータＰ２，４、…、記録データＤ１０〜Ｄ１０２０，ＤＭポインタデータＰ２，２，ＣＲＣデータＣ４に対応する。
また、データ領域３６において、同期データＳＢ１〜ＳＢ３は先頭の３バイトに記録されており、再同期データＲＳ１〜ＲＳ５９は、それぞれの間に２０バイトのデータ等を挟んで記録されており、記録データＤ１〜Ｄ１０２４、ＤＭポインタデータＰ１，１〜Ｐ３，４およびＣＲＣデータＣ１〜Ｃ４を再生する際の同期確立のために用いられる。
【００１６】
以下、図３および図４を参照して、本発明に係る光学式ディスク再生装置１の構成を説明する。
図３は、本発明に係る光学式ディスク再生装置１の構成を示す図である。
図４は、図３に示した同期・再同期検出回路（ＳＲＤ回路）１６の構成を示す図である。
【００１７】
図３に示すように、光学式ディスク再生装置１は、ディスク系１０、再生増幅回路１４、同期・再同期検出回路（ＳＲＤ）１６、水平・垂直変換回路（ＨＶＭ）１８、誤り訂正回路２０、垂直・水平変換回路（ＶＨＭ）２２、データインターフェース回路（ＤＩＦ回路）２４および制御回路３０から構成されており、ディスク系１０は、レーザーダイオード（ＬＤ）１００、ＲＦ信号検出器１０２およびディスク駆動系１０４から構成されている。
【００１８】
これらの構成部分により、光学式ディスク再生装置１は、図１に示したセクタ４０それぞれのデータ領域３６に、図２に示した記録フォーマットで記録されている記録データＤ１〜Ｄ１０２４等を、同期データＳＢ１〜ＳＢ３および再同期データＲＳ１〜ＲＳ５９を用いて再生する。
【００１９】
ディスク系１０は、制御回路３０の制御に従って、ディスク駆動系１０４により光磁気ディスク１２を回転させ、レーザーダイオード１００により光磁気ディスク１２に対してレーザー光線を照射し、光磁気ディスク１２で反射されたレーザー光線をＲＦ信号検出器１０２により検出し、再生信号を生成して再生増幅回路１４に対して出力する。
再生増幅回路１４は、再生信号を増幅し、再生信号Ｓ１４として同期・再同期検出回路１６に対して出力する。
【００２０】
同期・再同期検出回路１６は、再生信号から、図２に示した同期データＳＢ１〜ＳＢ３および再同期データＲＳ１〜ＲＳ５９を検出し、同期検出信号Ｃ１６（Ｃ１６ａ，Ｃ１６ｂ）として制御回路３０に出力し、再生信号Ｓ１４をディジタル形式の信号に変換して再生データＳ１６として水平・垂直変換回路１８に対して出力する。なお、同期・再同期検出回路１６の構成および動作は、図４および図５を参照して後述する。
【００２１】
水平・垂直変換回路１８は、同期・再同期検出回路１６で検出され同期データおよび再同期データに基づく制御回路３０の制御に従って、図２に示した各データを記憶し、水平方向と垂直方向を入れ換える。つまり、上述のように、誤り訂正データＥ１，１〜Ｅ１，１６、Ｅ２，１〜Ｅ２，１６、…、Ｅ１０，１６を、それぞれ記録データＤ１，Ｄ１１，Ｄ２１〜Ｄ１０２１，ＤＭポインタデータＰ２，３、記録データＤ２，Ｄ１２，Ｄ２２〜Ｄ１０２２，ＤＭポインタデータＰ２，４、…、記録データＤ１０〜Ｄ１０２０，ＤＭポインタデータＰ２，２，ＣＲＣデータＣ４に対応付けた配列に変換し、誤り訂正回路２０に対して出力する。
【００２２】
誤り訂正回路２０は、同期・再同期検出回路１６で検出され、水平・垂直変換回路１８で水平方向と垂直方向が入れ換えられた同期データおよび再同期データに基づく制御回路３０の制御に従って、誤り訂正データＥ１，１〜Ｅ１，１６で記録データＤ１，Ｄ１１，Ｄ２１〜Ｄ１０２１，ＤＭポインタデータＰ２，３の誤り訂正を行い、誤り訂正データＥ２，１〜Ｅ２，１６で記録データＤ２，Ｄ１２，Ｄ２２〜Ｄ１０２２，ＤＭポインタデータＰ２，４の誤り訂正を行うといったように、誤り訂正データＥ１，１〜Ｅ１０，１６を用いて、それぞれ対応する記録データＤ１〜Ｄ１０２４、ＤＭポインタデータＰ１，１〜Ｐ３，４およびＣＲＣデータＣ１〜Ｃ４の誤り訂正を順次、行い、誤り訂正後の記録データＤ１〜Ｄ１０２４、ＤＭポインタデータＰ１，１〜Ｐ３，４およびＣＲＣデータＣ１〜Ｃ４を垂直・水平変換回路２２に対して出力する。
【００２３】
垂直・水平変換回路２２は、誤り訂正回路２０により誤り訂正された後の記録データＤ１〜Ｄ１０２４、ＤＭポインタデータＰ１，１〜Ｐ３，４およびＣＲＣデータＣ１〜Ｃ４の水平方向と垂直方向とを入替え、図２に示した配列に戻したこれらのデータをＤＩＦ回路２４に対して出力する。
ＤＩＦ回路２４は、垂直・水平変換回路２２から入力された記録データＤ１〜Ｄ１０２４、ＤＭポインタデータＰ１，１〜Ｐ３，４およびＣＲＣデータＣ１〜Ｃ４を、順次、シリアル形式の再生データＤＯＵＴとして出力する。
【００２４】
以下、同期・再同期検出回路１６の構成を説明する。
図４に示すように、同期・再同期検出回路１６は、タイミング信号発生回路（ＴＧ回路）１６０、参照データ検出回路（ＲＥＦＤ）１６２、同期データ検出回路（ＳＤ）１６４、同期窓信号生成回路（ＳＷＧ）１６６、同期検出回路１６８、第１の再同期窓信号生成回路（ＲＷＧ１）１７０、第２の再同期窓信号生成回路（ＲＷＧ２）１７２、セレクタ回路（ＳＥＬ）１７４、再同期データ検出回路（ＲＤ）１７６および変換回路１７８から構成される。
【００２５】
ＴＧ回路１６０は、再生信号Ｓ１４に同期したクロック信号ＣＫを生成し、光学式ディスク再生装置１の各部分に対して出力する。
変換回路１７８は、再生信号Ｓ１４をディジタル形式の再生データＳ１６に変換し、水平・垂直変換回路１８および同期データ検出回路１６４、参照データ検出回路１６２および再同期データ検出回路１７６に対して出力する。
参照データ検出回路１６２は、再生データＳ１６から、図１に示したセクタマーク領域３２に記録された参照データを検出する。参照データ検出回路１６２は、参照データを検出したタイミングで参照データ検出信号Ｓ１６２を活性化（アサート；論理値１）にして同期窓信号生成回路１６６に対して出力する。
【００２６】
同期データ検出回路１６４は、再生データＳ１６から図２に示した同期データＳＢ１〜ＳＢ３を検出する。同期データ検出回路１６４は、同期データＳＢ１〜ＳＢ３を検出した場合に同期データ検出信号Ｓ１６４を活性化して同期検出回路１６８および再同期窓信号生成回路１７０に対して出力する。
同期窓信号生成回路１６６は、参照データ検出回路１６２から入力された参照データ検出信号Ｓ１６２が活性化したタイミングに基づいて、同期データＳＢ１〜ＳＢ３の位置を示す同期窓信号（同期ウィンドウ信号）ＳＷを生成し、同期データ検出回路１６４、同期検出回路１６８および再同期窓信号生成回路１７２に対して出力する。
【００２７】
同期検出回路１６８は、同期データ検出信号Ｓ１６４と同期窓信号ＳＷとに基づいて、同期窓信号ＳＷが示すタイミング内に同期データ検出回路１６４が同期データＳＢ１〜ＳＢ３を検出したか否かを判断し、同期窓信号生成回路１６６が同期窓信号ＳＷが活性化している間に同期データ検出回路１６４が同期データＳＢ１〜ＳＢ３を検出した場合には選択信号ＳＬを活性化し、同期窓信号ＳＷが示すタイミング内に同期データを検出しなかった場合には選択信号ＳＬを不活性化（ネゲート；論理値０）にしてセレクタ回路１７４に対して出力する。
【００２８】
さらに、同期検出回路１６８は、同期窓信号ＳＷが示すタイミング内に同期データ検出回路１６４で同期データＳＢ１〜ＳＢ３が検出された場合には同期データ検出信号Ｓ１６４をそのまま同期検出信号Ｃ１６ａとして制御回路３０に対して出力し、同期窓信号ＳＷが示すタイミング内に同期データ検出回路１６４で同期データが検出されなかった場合には、同期窓信号ＳＷの最後の部分で活性化する信号を生成して同期検出信号Ｃ１６ａとして制御回路３０に対して出力する。
【００２９】
第１の再同期窓信号生成回路１７０は、同期データ検出信号Ｓ１６４が活性化したタイミングに基づいて、図２に示した再同期データＲＳ１〜ＲＳ５９それぞれの位置を示す第１の再同期窓信号（再同期ウィンドウ信号）Ｓ１７０を活性化し、選択（セレクタ）回路１７４に対して出力する。
第２の再同期窓信号生成回路１７２は、同期窓信号生成回路１６６から出力され同期窓信号ＳＷの活性化した部分の所定の位置、例えば、同期窓信号ＳＷの中央の部分からクロック信号ＣＫを所定の周期だけ計数し、図２に示した再同期データＲＳ１〜ＲＳ５９それぞれの位置を示す第２の再同期窓信号Ｓ１７２を活性化し、セレクタ（選択）回路１７４に対して出力する。
【００３０】
セレクタ回路１７４は、同期検出回路１６８から入力された選択信号ＳＬが活性化している場合には、第１の再同期窓信号Ｓ１７０を選択して再同期窓信号Ｓ１７４として再同期データ検出回路１７６に対して出力し、同期検出回路１６８から入力された選択信号ＳＬが不活性である場合には、第２の再同期窓信号Ｓ１７２を選択して再同期窓信号Ｓ１７４として再同期データ検出回路１７６に対して出力する。
つまり、セレクタ回路１７４は、同期窓信号ＳＷが示すタイミング内に、同期データ検出回路１６４で、図２に示した同期データＳＢ１〜ＳＢ３が検出された場合には第１の再同期窓信号Ｓ１７０を選択し、同期窓信号ＳＷが示すタイミング内に同期データＳＢ１〜ＳＢ３が検出されなかった場合には第２の再同期窓信号Ｓ１７２を選択して再同期データ検出回路１７６に対して出力する。
【００３１】
再同期データ検出回路１７６は、セレクタ回路１７４から出力される再同期窓信号Ｓ１７４が活性化している期間だけ、図２に示した再同期データＲＳ１〜ＲＳ５９をそれぞれ検出し、再同期データＲＳ１〜ＲＳ５９が検出されたタイミングを示す同期（再同期）検出信号Ｃ１６ｂを活性化して制御回路３０に対して出力する。
【００３２】
以上述べた各構成部分により、同期・再同期検出回路１６は、同期データ検出回路１６４が同期データＳＢ１〜ＳＢ３を検出できた場合には、同期データＳＢ１〜ＳＢ３が検出されたタイミングを示す同期検出信号Ｃ１６ａを活性化し、同期検出信号Ｃ１６ａ（同期データ検出信号Ｓ１６４）に基づいて生成された第１の再同期窓信号Ｓ１７０が活性化している期間内に再同期データＲＳ１〜ＲＳ５９が検出されたタイミングを示す同期（再同期）検出信号Ｃ１６ｂを活性化して制御回路３０に対して出力する。
【００３３】
また、同期・再同期検出回路１６は、同期データ検出回路１６４が同期データＳＢ１〜ＳＢ３を検出できなかった場合には、同期窓信号ＳＷの活性化した部分の最後のタイミングを示す同期検出信号Ｃ１６ａを活性化し、同期窓信号ＳＷが活性化している期間の所定のタイミング（例えば同期窓信号ＳＷの中央）から所定の時間差ごとに活性化される第２の再同期窓信号Ｓ１７２が活性化している期間内に再同期データＲＳ１〜ＲＳ５９が検出されたタイミングを示す再同期検出信号Ｃ１６ｂを活性化して制御回路３０に対して出力する。
なお、いずれの場合も、再同期データＲＳ１〜ＲＳ５９が正しく検出されている限り、同期・再同期検出回路１６が出力する同期（再同期）検出信号Ｃ１６ｂのタイミングと、同期検出信号Ｃ１６ａのタイミングとは同じになる。
【００３４】
以下、さらに図５を参照して光学式ディスク再生装置１の動作を説明する。
図５は、図３に示した同期・再同期検出回路１６の動作を示すタイミングチャートであって、（Ａ）は参照データ検出回路１６２から出力される参照データ検出信号Ｓ１６２を示し、（Ｂ）は同期窓信号生成回路１６６から出力される同期窓信号ＳＷを示し、（Ｃ）は同期データ検出回路１６４から出力される同期データ検出信号Ｓ１６４を示し、（Ｄ）は第１の再同期窓信号生成回路１７０から出力される第１の再同期窓信号Ｓ１７０を示し、（Ｅ）は第２の再同期窓信号生成回路１７２から出力される第２の再同期窓信号Ｓ１７２を示す。
【００３５】
光磁気ディスク１２から読み出された再生信号Ｓ１４は同期・再同期検出回路１６に入力される。
同期・再同期検出回路１６において、変換回路１７８は再生信号Ｓ１４をディジタル形式の再生データＳ１６に変換し、ＴＧ回路１６０は再生信号Ｓ１４に同期したクロック信号ＣＫを生成する。
参照データ検出回路１６２は、図１に示したセクタマーク領域３２に記録された参照データを検出し、図５（Ａ）に示すタイミングで参照データ検出信号Ｓ１６２を活性化する。
【００３６】
同期窓信号生成回路１６６は、参照データ検出信号Ｓ１６２が活性化されたタイミングから、例えばクロック信号ＣＫを所定の回数計数して時間Ｔ1 の間、図５（Ｂ）に示すように同期窓信号ＳＷを活性化して出力する。
同期データ検出回路１６４は、同期窓信号ＳＷが活性化している間だけ図２に示した同期データＳＢ１〜ＳＢ３を検出して、同期データ検出信号Ｓ１６４を出力する。
【００３７】
第１の再同期窓信号生成回路１７０は、図５（Ｄ）に示す再同期データＲＳ１〜ＲＳ５９（図２）それぞれの位置を示す第１の再同期窓信号Ｓ１７０を生成してセレクタ回路１７４に入力するため、例えば同期データ検出信号Ｓ１６４の立ち下がり点からクロック信号ＣＫを所定の周期だけ計数し、同期データ検出信号Ｓ１６４の立ち下がり点から時間Ｔ3 だけ遅れた時点で、活性化期間（論理１のオン時間）Ｔ2 の第１の再同期窓信号Ｓ１７０を最初に活性化し、これ以降、時間Ｔ4 の間隔をおいて、第１の再同期窓信号Ｓ１７０を時間Ｔ2 の間だけ活性化していく。
【００３８】
第２の再同期窓信号生成回路１７２は、図５（Ｅ）に示す再同期データＲＳ１〜ＲＳ５９（図２）それぞれの位置を示す第２の再同期窓信号Ｓ１７２を生成してセレクタ回路１７４に入力するため、例えば同期窓信号ＳＷが活性化している期間の中央からクロック信号ＣＫを所定の周期だけ計数し、時間Ｔ3 ’だけ遅れた時点で、活性化期間（論理１のオン時間）Ｔ2 の第２の再同期窓信号Ｓ１７２を最初に活性化し、これ以降、時間Ｔ4 の間隔をおいて、第２の再同期窓信号Ｓ１７２を時間Ｔ2 の間だけ活性化する。
【００３９】
同期検出回路１６８は、同期窓信号ＳＷと同期データ検出信号Ｓ１６４に基づいて、選択信号ＳＬを生成してセレクタ回路１７４に対して出力し、同期データＳＢ１〜ＳＢ３の位置を示す同期検出信号Ｃ１６ａを生成して制御回路３０に対して出力する。
セレクタ回路１７４は、選択信号ＳＬの値に応じて第１の再同期窓信号Ｓ１７０または第２の再同期窓信号Ｓ１７２のいずれかを選択して再同期窓信号Ｓ１７４として再同期データ検出回路１７６に対して出力する。
再同期データ検出回路１７６は、再同期窓信号Ｓ１７４が活性化している間だけ再同期データＲＳ１〜ＲＳ５９を検出し、再同期データＲＳ１〜ＲＳ５９が検出されたタイミングで活性化する再同期データ検出信号Ｃ１６ｂを生成して制御回路３０に対して出力する。
【００４０】
制御回路３０は、同期データ検出信号Ｃ１６ａまたは再同期データ検出信号１６ｂ（これらを総称して、同期データ検出信号Ｃ１６という）に基づいて水平・垂直変換回路１８を制御して再生データＳ１６の配列を変換させ、誤り訂正回路２０を制御して、誤り訂正データＥ１，１〜Ｅ１０，１６を用いて記録データＤ１〜Ｄ１０２４，ＤＭポインタデータＰ１，１〜Ｐ３，４およびＣＲＣデータＣ１〜Ｃ４に対して誤り訂正を行わせ、垂直・水平変換回路２２を制御して誤り訂正されたこれらのデータを図２に示した元の配列に戻し、ＤＩＦ回路２４を介してシリアル形式の再生データＤＯＵＴとして出力させる。
【００４１】
以上説明した本発明に係る光学式ディスク再生装置１は、従来の光学式ディスク再生装置と異なり、同期データＳＢ１〜ＳＢ３が検出されなかった場合に用いる第２の再同期窓信号Ｓ１７２を、同期窓信号ＳＷの活性化している期間の、たとえば、中央のタイミングに基づいて生成しているので、第２の再同期窓信号Ｓ１７２を用いれば、同期データＳＢ１〜ＳＢ３が検出されているか否かに係わらず、再同期データＲＳ１〜ＲＳ５９が正常に検出される確率が高い。
従って、何らかの理由により同期データＳＢ１〜ＳＢ３が検出されなかった場合でも、再同期データＲＳ１を検出でき、その後に続けてデータ領域３６に記録されたデータを信頼性高く再生することができる。もちろん、それ以降の、再同期データを検出でき、その後に続けてデータ領域３６に記録されたデータを信頼性高く再生することができる。
【００４２】
なお、光学式ディスク再生装置１は、適切な変形により、図２に示した以外の記録フォーマットで光磁気ディスク１２に記録されている記録データの再生にも用いることができる。
また、光学式ディスク再生装置１は、適切な変形により、光磁気ディスク１２に限らず、光ディスク、ハードディスクあるいは磁気ディスクの再生にも用いることができる。
【００４３】
また、光学式ディスク再生装置１の各構成要素は、それぞれハードウェア的に構成されているか、あるいは、同等の機能を有するソフトウェアとして実現されているかを問わない。
以上述べた実施例に示した他、本発明に係るデータ再生装置は、種々の構成をとることができる。
【図面の簡単な説明】
【００４４】
【図１】図３に示す本発明に係る光学式ディスク再生装置の光磁気ディスクのセクタの構成を示す図である。
【図２】図１に示したセクタのデータ領域の記録フォーマットを示す図である。
【図３】本発明に係る光学式ディスク再生装置の構成を示す図である。
【図４】図３に示した同期・再同期検出回路の構成を示す図である。
【図５】図３に示した同期・再同期検出回路の動作を示すタイミングチャートであって、（Ａ）〜（Ｅ）は、それぞれ図３に示した同名の各信号を示す。
【符号の説明】
【００４５】
１…光学式ディスク再生装置、１０…ディスク系、１００…レーザーダイオード、１０２…ＲＦ信号検出器、１０４…ディスク駆動系、１２…光磁気ディスク、１４…再生増幅回路、１６…同期・再同期検出回路、１６０…ＴＧ回路、１６２…参照データ検出回路、１６４…同期データ検出回路、１６６…同期窓信号生成回路、１６８…同期検出回路、１７０，１７２…再同期窓信号生成回路、１７４…セレクタ回路、１７６…再同期データ検出回路、１７８…変換回路、１８…水平・垂直変換回路、２０…誤り訂正回路、２２…垂直・水平変換回路、２４…ＤＩＦ回路
【図１】
2005317200.tif 000003
【図２】
2005317200.tif 000004
【図３】
2005317200.tif 000005
【図４】
2005317200.tif 000006
【図５】
2005317200.tif 000007